(57)【要約】  チャイルドレジスタント及び非チャイルドレジスタント操作モードを有するパッケージは、開口端のあるネック口部（２６）を有する容器（２２）、開口端を包囲する外面（３２）、及び開口端から間隔を隔てた少なくとも一つの第１雄係合要素（３４）を有する。クロージャ（２４）は、ベース部分（４４）、ベース部分から延びるスカート（４６）、及びチャイルドレジスタント操作モードにおいて容器のネック口部の第１雄係合要素と係合するために、スカートに設けられた少なくとも一つの第２雌係合要素（４８）を有する。第２係合要素を含むスカートは、クロージャのベース部分から切り離せて、クロージャをチャイルドレジスタント操作モードから非チャイルドレジスタント操作モードに変換させる。スカート内の第１環状要素（６８）は、チャイルドレジスタント操作モードにおいてパッケージを密封するために、容器の外面と係合可能に配置される。第２環状要素（７０）は、非チャイルドレジスタント操作モードにおいてクロージャを容器のネック口部に固定するために、容器のネック口部と係合可能に、第１環状要素から半径方向内方に配置される。
2009502676.tif 000002
【特許請求の範囲】
【請求項１】
チャイルドレジスタント操作モード及び非チャイルドレジスタント操作モードを有するパッケージであって、
開口端のあるネック口部（２６）、前記開口端を包囲する外面（３２）、及び前記開口端から間隔を隔てた少なくとも一つの第１雄係合要素（３４）を有する容器（２２）と、
ベース部分（４４）、前記ベース部分から延びるスカート（４６）、及びチャイルドレジスタント操作モードにおいて前記ネック口部に形成された前記第１雄係合要素と係合するための、前記スカートに設けられた少なくとも一つの第２雌係合要素（４８）を有するクロージャ（２４）を含み、
前記第２雌係合要素を含む前記スカートは、前記クロージャをチャイルドレジスタント操作モードから非チャイルドレジスタント操作モードに変換させるために、前記ベース部分から切り離し可能であり、
前記ネック口部の外面と係合して、チャイルドレジスタント操作モードにおいて前記パッケージを密封するための、前記スカート内にある第１環状要素（６８）、及び前記スカートが前記ベース部分から取り除かれた非チャイルドレジスタント操作モードにおいて前記容器のネック口部に前記クロージャを固定するために前記開放口と係合するための、前記第１環状要素から半径方向内方の第２環状要素を含むこと、
を特徴とするパッケージ。
【請求項２】
前記第１及び第２環状要素（６８，７０）は、前記ベース（４４）及び前記スカート（４６）と異なる材料構造のものである、
請求項１に記載のパッケージ。
【請求項３】
前記ベース部分（４４）及び前記スカート（４６）は、比較的硬いプラスチック構造のものであり、且つ前記第１及び第２環状要素（６８，７０）は、比較的撓みやすい弾性プラスチック構造のものである、
請求項２に記載のパッケージ。
【請求項４】
前記クロージャは、前記比較的撓みやすい弾性プラスチック構造のものであり、前記非チャイルドレジスタント操作モードにおいて前記ネック口部（２６）の端と密封係合するために、前記第１環状要素と第２環状要素（６８，７０）の間に延びる環状バンド（７４）を含む、
請求項３に記載のパッケージ。
【請求項５】
前記第１及び第２環状要素（６８，７０）、並びに前記バンド（７４）は、前記スカート内の前記ベース部分にその場で成形された、
請求項４に記載のパッケージ。
【請求項６】
前記容器のネック口部の前記第１係合要素（３４）は、少なくとも一つの雄ねじ山部分を含み、
前記スカートの前記第２係合要素（４８）は、少なくとも一つの雌ねじ山部分を含み、
一方の前記ねじ山部分は、突起（３６）を含み、他方の前記ねじ山部分は、前記突起を受け入れるポケット（５０）を含み、
前記第１環状要素（６８）は、前記外面（３２）と協同して前記パッケージを密封し、且つ前記突起を前記ポケットに押し入れ、
前記クロージャは、前記クロージャを前記容器のネック口部から取り外すために前記突起が前記ポケットから離れるまで前記第１環状要素の力に抗して前記ネック口部に関して押されなければならない、
請求項３に記載のパッケージ。
【請求項７】
前記突起（３６）は、前記少なくとも一つの雄ねじ山部分（３４）に配置され、且つ前記ポケット（５０）は、前記少なくとも一つの雌ねじ山部分（４８）に配置される、
請求項６に記載のパッケージ。
【請求項８】
前記少なくとも一つの雌ねじ山部分（４８）は、前記容器のネック口部への前記クロージャの締め過ぎを防止するために、前記少なくとも一つの雄ねじ山部分（３４）の端部（５４）と協同するねじ停止部（５２）を含む、
請求項７に記載のパッケージ。
【請求項９】
前記スカート（４６）の端に脆弱的に連結されたタンパーバンド（６０）、及び前記クロージャが前記容器のネック口部から最初に取り除かれたときに前記タンパーバンドを前記スカートから分離するために、前記タンパーバンドと係合可能に前記容器のネック口部に設けられた外部ビード（３８）を含む、
請求項３に記載のパッケージ。
【請求項１０】
非チャイルドレジスタント操作モードに変換可能なチャイルドレジスタントパッケージであって、
開口端のあるネック口部（２６）、前記開口端を包囲する外円錐面（３２）、及び前記開口端から間隔を隔てた少なくとも二つの雄ねじ山部分（３４）を有する容器（２２）と、
ベース部分（４４）、前記ベース部分に脆弱的に連結されたスカート（４６）、及び前記スカートに設けられた少なくとも二つの雌ねじ山部分（４８）を有するクロージャ（２４）と、
前記クロージャを前記ネック口部から付勢し、且つ前記パッケージを密封するために、前記ネック口部の前記外円錐面と係合可能に前記スカートから半径方向内方で、前記ベース部分に設けられた第１環状要素（６８）と、
前記容器のネック口部の前記開口と係合可能に、前記第１の環状要素から半径方向内方で、前記ベース部分に設けられた第２環状要素（７０）と、を含み、
前記第１及び第２環状要素は、前記ベース部分と異なる材料構造のもので、前記ベース部分にその場で成形され、
前記雌ねじ山部分及び雄ねじ山部分は、突起（３６）及びポケット（５０）を有し、当該突起及びポケットは、前記突起を前記ポケットから離すのに十分な前記第１環状要素に抗する力を欠くチャイルドレジスタント操作モードで、前記容器のネック口部からの前記クロージャのねじ外しを防止し、
前記スカートは、前記クロージャを前記容器のネック口部に固定するために、前記パッケージを前記第２環状要素が前記開口内にスナップ嵌めによって受け入れられる非チャイルドレジスタント操作モードに変換するために前記ベース部分から取り外せること、
を特徴とするパッケージ。
【請求項１１】
前記スカートの端に脆弱的に連結されたタンパーバンド（６０）と、
前記クロージャが前記容器のネック口部から最初に取り除かれたときに前記タンパーバンドを前記スカートから分離するために前記タンパーバンドと係合可能に前記容器のネック口部に設けられた外ビード（３８）とを含む、
請求項１０に記載のパッケージ。
【請求項１２】
前記ベース部分（４４）及び前記スカート（４６）は、比較的硬いプラスチック構造のものであり、
前記第１及び第２環状要素（６８，７０）は、比較的撓みやすい弾性プラスチック構造のものである、
請求項１０に記載のパッケージ。
【請求項１３】
前記クロージャは、前記非チャイルドレジスタント操作モードにおいて前記容器のネック口部の端と密封係合するために、前記第１環状要素と第２環状要素（６８，７０）の間に延びる前記比較的撓みやすい弾性プラスチック構造の環状バンド（７４）を含む、
請求項１２に記載のパッケージ。
【請求項１４】
前記第１及び第２環状要素（６８，７０）並びに前記バンド（７４）は、前記スカートの前記ベース部分にその場で成形される、
請求項１３に記載のパッケージ。
【請求項１５】
クロージャであって、
ワンピースの比較的硬い一体のプラスチック構造のクロージャシェル（４０）であって、ベース部分（４４）、前記ベース部分に脆弱的に連結されたスカート（４６）、前記スカートに形成された少なくとも一つの雌ねじ山部分（４８）、及び前記雌ねじ山部分に設けられたチャイルドレジスタントロック要素（５０）を含むクロージャシェルと、
比較的撓みやすい弾性プラスチック構造で前記ベース部材にその場で成形され、前記スカートから半径方向内方に間隔を隔てた第１環状壁（６８）、及び前記第１環状壁から半径方向内方に間隔を隔てた第２環状壁（７０）を有するライナー（４２）と、を含み、
前記第１環状壁は、前記クロージャが前記容器のネック口部に螺合されるとき、容器のネック口部と外部係合可能に配置され、
前記第２環状壁は、前記スカートが前記ベース部分から脆弱的に取り外されたときに、容器の口と内部スナップ係合可能に配置されたこと、
を特徴とするクロージャ。
【請求項１６】
前記ライナー（４２）は、前記容器のネック口部の端と密封係合するために、前記第１環状壁と第２環状壁（６８，７０）の間に延びる環状バンド（７４）を含む、
請求項１５に記載のクロージャ。
【請求項１７】
前記クロージャシェル（４０）は、前記スカートに脆弱的に連結されたタンパーバンド（６０）を含む、
請求項１６記載のクロージャ。
【請求項１８】
（ａ）ベース部分（４４）、前記ベース部分に脆弱的に連結されたスカート（４６）、前記スカートに設けられた少なくとも一つの雄ねじ山部分（４８）、及び前記雄ねじに設けられたチャイルドレジスタントロック要素（５０）を含む、ワンピースの一体に成形された比較的硬いプラスチック構造のクロージャシェル（４０）を準備し、
（ｂ）比較的撓みやすい弾性プラスチック構造のライナー（４２）を前記ベース部分に成形し、前記ライナーは、前記スカートから半径方向内方に間隔を隔てた第１環状壁（６８）、及び前記第１環状壁から半径方向内方に間隔を隔てた第２環状壁（７０）を有すること、
を特徴とするクロージャの製造方法。
【請求項１９】
前記ステップ（ｂ）における前記ライナー（４２）は、前記第１環状壁と第２環状壁（６８，７０）の間に延びる環状バンド（７４）を含む、
請求項１８に記載のクロージャの製造方法。
【請求項２０】
前記ステップ（ａ）における前記シェル（４０）は、前記スカートに脆弱的に連結されたタンパーバンド（６０）を含む、
請求項１９に記載のクロージャの製造方法。
【発明の詳細な説明】
【技術分野】
【０００１】
本開示は、非チャイルドレジスタント操作に変換可能なチャイルドレジスタントパッケージ、このようなパッケージのためのクロージャ、及びこのようなクロージャの製造方法に関する。
【背景技術】
【０００２】
米国特許公報第２００５０１０３７４１Ａ１号は、容器の口に隣接した少なくとも一つの雄ねじ山部分、及び容器の口から間隔を隔てた外部の偏向可能なロック要素を有する容器を含む、チャイルドレジスタントパッケージを開示する。クロージャは、容器の雌ねじ山部分と螺合するための少なくとも一つの雌ねじ山部分を有する第１部分、及び容器の偏向可能なロック要素と係合するためのロック要素を有し、第１部分と脆弱的に連結された第２部分を含む周囲スカートを有する。クロージャスカートの第２部分が第１部分に連結されると、パッケージは、クロージャを解放して容器とのねじ外しするには、容器のロック要素の偏向を要求するチャイルドレジスタント操作をするようになっている。クロージャスカートの第２部分がユーザによって取り除かれるときには、クロージャは、非チャイルドレジスタント操作モードにおいて、単に容器に螺合させたり外したりすることができる。
【発明の開示】
【０００３】
本開示の一般的な目的は、非チャイルドレジスタント操作モードでは、スナップキャップ操作をするようになった、チャイルドレジスタントパッケージ、クロージャ、及び／又はそのようなクロージャの製造方法を提供することにある。
【０００４】
本開示は、別々に、又は組み合わせで実行することができる複数の側面を具体化する。
【０００５】
本開示の第１の側面によれば、チャイルドレジスタント操作モード、及び非チャイルドレジスタント操作モードを有するパッケージは、開口端のあるネック口部、開口端を包囲する外面、及び開口端から間隔を隔てた少なくとも一つの第１雄係合要素を有する容器を含む。クロージャは、ベース部分、ベース部分から延びるスカート、及びチャイルドレジスタント操作モードにおいて、容器のネック口部の第１雄係合要素と係合するための、スカートに形成された第２内係合要素を有する。第２内係合要素を含むスカートは、クロージャをチャイルドレジスタント操作モードから非チャイルドレジスタント操作モードに変換するために、クロージャのベース部分から切り離せる。スカート内でクロージャに取り付けられた第１環状要素が、チャイルドレジスタント操作モードにおいてパッケージを密封するために、容器のネック口部の外面と係合可能に配置される。クロージャの第２環状要素が、スカートがクロージャのベース部分から取り除かれた非チャイルドレジスタント操作モードにおいて容器のネック口部の開放口と係合可能に、第１環状要素から半径方向内方に配置され、非チャイルドレジスタント操作モードにおいてクロージャをネック口部に固定する。第１及び第２環状要素は、好ましくは、クロージャのベース部分及びスカートのプラスチック構造と異なる、撓みやすい弾性プラスチック構造のものであり、好ましくは、クロージャのベース部分の内面にその場で成形される。好ましいが必ずしもではないが、タンパーバンドが、スカートの縁に脆弱的に連結され、クロージャが容器のネック口部から最初に取り外されたときに、容器のネック口部のダンパービードと協同して、タンパーバンドをクロージャのスカートから切り離す。
【０００６】
開示は、追加の目的、特徴、利点、及びその側面と一緒に、以下の記載、添付した特許請求の範囲及び添付図面により最も良く理解されるであろう。
【発明を実施するための最良の形態】
【０００７】
図１乃至２は、本開示の実施例によるパッケージ２０を、チャイルドレジスタント操作モードにおいて容器２２に付けられたクロージャ２４を含むものとして示す。容器２２（図１乃至４）は、適当な構造及び形状の側壁２８から延びる略円筒形のネック口部２６を含む。ネック口部２６は、ネック口部の上端から延びる壁部分３０を有する（「上」及び「下」のような方向の用語は、図１乃至４、６、８乃至９、及び１１乃至１２に示されるクロージャ、容器、及びパッケージの直立の向きに関して説明のために採用され、限定のために採用されていない。「半径方向」及び「軸方向」のような方向の用語は、クロージャ、スカート、及び／又は容器の開口の軸線に関して説明のために採用され、限定のために採用されていない）。壁部分３０は、容器の上端の開放口から広がる円錐面３２を有する。壁部分３０は、好ましくは、半径方向内方にテーパした円錐形の壁であるが、外円錐面３２を有する円筒形の壁部分でもよい。壁面３２は、円錐形以外、例えば、部分ドーナツ形であってもよい。雄ねじ山部分３４は、容器の開放口から間隔を隔てた位置で、容器のネック口部２６の外面の周りに配置される。ねじ山部分３４は、好ましくは、図３で最も良く解るように、一対の雄ねじ山部分を含み、その各々は、容器の開放口から遠方のねじ山部分の端から軸方向に延びる突起３６で終わる。容器のネック口部は、容器の開放口から間隔を隔てた位置に、後述されるように、タンパー指示を提供するための、外部ビード３８を含むのがよい。容器２２は、好ましくは、ワンピースの一体成形プラスチック構造を有する。一例として、容器の円錐面３２は、容器のネック口部の軸線に対して２５度の公称角度であるのがよい。
【０００８】
クロージャ２４は、クロージャシェル４０（図５及び６）を含み、該クロージャシェルは、その内部にライナー４２を有する。図５及び６は、周囲スカート４６に一体に連結されたベース部分４４を含む、成形されたごときクロージャシェル４０を示す。少なくとも一つの雌ねじ山部分４８、及び好ましくは一対の雌ねじ山部分が、スカート４６に成形される。各雌ねじ山部分４８は、容器のネック口部の外部突起３６（図３）受け入れるための、ねじ山部分の下端（即ち、ベース部分４４から遠方のねじ山部分の端）に隣接したポケット又は溝５０を含む。各ねじ山部分４８は、好ましくは、容器のネック口部の雄ねじ山部分の端５４（図３）が容器のネック口部のに係合して、容器のネック口部へのクロージャの締め過ぎを防止するねじ山停止部を形成するための、ねじ山部分の上端に隣接した停止部５２を含む。
【０００９】
クロージャシェル４０は、好ましくは、スカート４６がベース部分４４から脆弱的に分離できるように製造される（図２、５、６、及び８）。開示の図示した実施形態では、クロージャシェル４０の内面に筋５８が成形され、クロージャシェルに５６で刻み目が施されたとき、脆弱なブリッジを形成する。変形として、筋５８は削除され、脆弱なブリッジは、単一又は二重刻み目操作で形成される。さらなる変形として、スカート７２は、クロージャのスカートに、クロージャシェルの成形操作中に形成されるブリッジによって脆弱的に連結されてもよい。開示の図示した実施形態では、クロージャシェル４０は、例えば、筋６２、及び線６４に沿う刻み目等によりスカート４６の下縁に脆弱的に連結されたタンパーバンド６０を含む。開示の図示した実施形態では、停止フランジ６６がタンパーバンド６０の下縁から延び、容器のネック口部２６のビード３８（図２乃至４）と係合して、クロージャが容器のネック口部から最初に取り外されたときにバンド６０をスカート４６から切り離すために、成形後の作業で逆さにされる。
【００１０】
クロージャシェル４０の成形に続いて、クロージャのベース部分４４の内面にライナー４２が形成される。ライナー４２は、適当な射出成形作業で、その場に成形され、より好ましくは、圧縮成形作業で成形されてもよい。あまり推奨されないが、第３の選択肢として、ライナー４２は、別々に作られ、クロージャシェルに接着され、さもなければ接合される。ライナー４２は、スカート４６から半径方向内方に、ベース部分４４から軸方向に延びる第１環状壁６８を有する。第２環状壁７０が、第１環状壁６８の半径方向内方に配置される。開示の好ましい実施形態では、環状壁６８は、ベース部分４４から内方、且つ下向きに傾く円錐形である。環状壁７０も好ましくは、ベース部分４４から外方、且つ下方に傾く円錐形である。環状壁７０は、環状壁６８よりも短い軸方向寸法のものである。環状壁７０は、好ましくは、０．５５８８ミリメートル（０．０２２インチ）の公称厚さのような均一の肉厚のものである。さらに一例として、壁７０は、スカートの軸線に対して約１２度の公称角度を有するのがよい。環状壁６８は、好ましくは、厚さが、例えば環状壁の上端において厚さが０．５５８８ミリメートル（０．０２２インチ）の公称厚さからテーパする。さらに一例として、壁６８の半径方向内面は、スカートの軸に対して８度の公称角度を有し、壁６８の半径方向の外面は、スカートの軸線に対して１１度の公称角度を有するのがよい。環状バンド７４は、好ましくは、壁６８と壁７０の間で、シェルのベース部分４４の底面に沿って延びる。壁６８，７０及びバンド７４は、好ましくは単一ユニットとして、最も好ましくはクロージャシェル４０の材料と異なり、且つそれよりもっと撓みやすい弾性プラスチック材料の圧縮成形によって形成される。クロージャシェル４０は、ポリプロピレンのような適当な比較的硬い成形プラスチック構造のものであるのがよい。ライナー４２は、エチレン酢酸ビニール（ＥＶＡ）のような適当な比較的撓みやすい弾性プラスチック構造のものであるのがよい。
【００１１】
チャイルドレジスタント操作モードでは、クロージャ２４は、ネック口部の突起３６がねじ山ポケット５０と合うまで容器のネック口部２６にねじ込まれ、突起がポケットに合った時点で、突起がねじ山ポケット５０に入る。これが起こっているとき、ライナーの壁６８は、容器のネック口部の壁面３２に係合し、クロージャが容器のネック口部にさらに取り付けられると壁６８の下部分は、ネック口部の壁面に沿って半径方向外方に撓む。タンパーバンド６０の停止フランジ６６は、提供されるとき、ネック口部のビード３８の下に受け入れられる。この完全取り付けでは、クロージャの壁６８は、容器のネック口部の壁３２と協同して、パッケージを密封し、且つ雄ねじ山ポケット５０を外部突起３６上に保持するように、クロージャを容器のネック口部から上方に付勢する。停止突起５２（図５乃至６）は、ねじ山端５４と協同して、クロージャの締め過ぎを防止する。
【００１２】
チャイルドレジスタント操作モードにおいてクロージャを容器から取り外すためには、クロージャに、環状壁６８の力に抗して力が加えて、クロージャスカートの雌ねじ山ポケット５０が、容器のネック口部の外部突起３６を離れるように、クロージャをネック口部に関し、下方に押す。ねじ山の突起がねじ山ポケットから外れると、クロージャは容器のネック口部からねじ外しすることができる。クロージャを容器のネック口部からの初期ねじ外しは、停止フランジ６６をネック口部ビード３８と係合させ、線６４で脆弱なブリッジを破断させるので、タンパーバンド６０は、クロージャスカート４６から分離され、パッケージが開けられたことを示す。
【００１３】
クロージャ２４を非チャイルドレジスタント操作モードに変換するためには、クロージャは容器から取り外され、クロージャスカート４６は、クロージャのベース部分４４から線５６に沿って切り離される。かくして、クロージャが図９及び１０に示されるように、再び付けられると、ライナーの壁７０は、容器の開放口内にスナップ嵌めによって受け入れられる。壁７０は、好ましくは、円周方向に連続であるから、壁７０は容器の開放口の周りでネック口部の壁３０の内面を密封する。壁６８は、非チャイルドレジスタント操作モードで、二次的な密封を提供する。ライナーの材料の環状バンド７４は、非チャイルドレジスタント操作モードで、容器のネック口部とのさらなる密封係合のために、容器のネック口部の上縁に係合する。
【００１４】
かくして、非チャイルドレジスタント操作に変換でき、先に述べた目的及び意図の全てを完全に満たす、チャイルドレジスタントパッケージ、クロージャ、及びクロージャの製造方法を開示した。本開示を、現下好ましい実施形態と関連して提示し、多数の変形及び変更を論じた。その他の変形及び変更は、当業者には容易に頭に浮かぶであろう。本開示は、精神及び添付された特許請求の範囲の広義の範囲に含まれるような全ての変形及び変更を含むものである。
【図面の簡単な説明】
【００１５】
【図１】開示の実施形態と関連したチャイルドレジスタントパッケージの側面図である。
【図２】図１のパッケージの断片断面図である。
【図３】図１乃至２のパッケージの容器の断片立面図である。
【図４】図３内の領域４の一部拡大断面図である。
【図５】図１乃至２のクロージャに成形されたクロージャシェルの一部立面図である。
【図６】図５内の領域６の一部拡大断面図である。
【図７】クロージャシェルのベース部分に、ライナーを付けたクロージャシェルの断片断面図である。
【図８】図２と同様の断片断面図であり、容器のネック口部から取り外し中のクロージャを示す。
【図９】非チャイルドレジスタント操作モードにおける図１のパッケージの立面図である。
【図１０】図９のパッケージの断片断面図である。
【図１】
2009502676.tif 000003
【図２】
2009502676.tif 000004
【図３】
2009502676.tif 000005
【図４】
2009502676.tif 000006
【図５】
2009502676.tif 000007
【図６】
2009502676.tif 000008
【図７】
2009502676.tif 000009
【図８】
2009502676.tif 000010
【図９】
2009502676.tif 000011
【図１０】
2009502676.tif 000012
【国際調査報告】
2009502676.tif 000013
2009502676.tif 000014